(57)【要約】【課題】  間接光による柔らかな薄明かりで室内を照明することができ、寝ている人の安眠を妨げることがないようにする。【解決手段】  本発明の常夜灯１は、光源２が取り付けられたベース部３と、一端側が光源２を囲むようにベース部３に取り付けられるとともに、他端側が光源２からの光を放出するように開口した筒状遮光部４と、該筒状遮光部４の他端側が間隙５をおいて挿入可能に開口したキャップ状遮光部６と、光源２からの光を間隙５から放出可能に、筒状遮光部４の他端側がキャップ状遮光部６の開口内に配設された状態で、該キャップ状遮光部６を筒状遮光部４に接続する接続部７とを備えている。【選択図】      図３
2006179376.tif 000002
【特許請求の範囲】
【請求項１】
光源が取り付けられたベース部と、
一端側が前記光源を囲むように前記ベース部に取り付けられるとともに、他端側が前記光源からの光を放出するように開口した筒状遮光部と、
該筒状遮光部の前記他端側が間隙をおいて挿入可能に開口したキャップ状遮光部と、
前記光源からの光を前記間隙から放出可能に、前記筒状遮光部の他端側が前記キャップ状遮光部の開口内に配設された状態で、該キャップ状遮光部を前記筒状遮光部又は前記ベース部に接続する接続部とを備えた常夜灯。
【請求項２】
前記ベース部は、既存の電球と互換性を有する口金を備え、
前記口金を介して供給される電力により前記光源を駆動するように構成された請求項１記載の常夜灯。
【発明の詳細な説明】
【技術分野】
【０００１】
本発明は、間接照明を実現するための常夜灯に関するものである。
【背景技術】
【０００２】
本発明の背景技術としては、特許文献１に記載された蛍光灯の常夜灯カバー８０を例示する。この常夜灯カバー８０は、図７に示すように、寝るときに点灯する蛍光灯器８１の常夜灯８２の先端部に被せるためのメッキカバーからなっている。この常夜灯カバー８０を常夜灯８２の先端部に装着することにより、常夜灯８２が下方向を照らす光を遮り、影の部分８３を作るようにしている。そして、この影の部分８３の範囲内に人が寝ることにより、常夜灯８２の直接光で寝ている人の目を刺激しないようにしている。
【０００３】
【特許文献１】実開平３−７７３１１号公報
【発明の開示】
【発明が解決しようとする課題】
【０００４】
ところが、常夜灯カバー８０を装着した常夜灯８２では、影の部分８３に人が寝たとしても、その周囲を直接光が照らすため、室内が全体的に明るくなり、寝ている人に依然として眩しさを感じさせ、その安眠を妨げるという課題がある。
【課題を解決するための手段】
【０００５】
上記課題を解決するために、本発明の常夜灯は、
光源が取り付けられたベース部と、
一端側が前記光源を囲むように前記ベース部に取り付けられるとともに、他端側が前記光源からの光を放出するように開口した筒状遮光部と、
該筒状遮光部の前記他端側が間隙をおいて挿入可能に開口したキャップ状遮光部と、
前記光源からの光を前記間隙から放出可能に、前記筒状遮光部の他端側が前記キャップ状遮光部の開口内に配設された状態で、該キャップ状遮光部を前記筒状遮光部又は前記ベース部に接続する接続部とを備えている。
【０００６】
前記筒状遮光部及び前記キャップ状遮光部は、光を略全面的に遮るように構成することが好ましいが、前記筒状遮光部については、前記キャップ状遮光部に対して相対的に若干の光を透過させるように構成してもよい。また、前記筒状遮光部と前記キャップ状遮光部との位置関係については、特に限定されないが、前記筒状遮光部の他端側が、前記キャップ状遮光部の開口内に挿入されていることが好ましい。
【０００７】
この構成によれば、前記筒状遮光部と、前記キャップ状遮光部とにより光源からの直接光が遮られ、外部には、主に、前記筒状遮光部と、前記キャップ状遮光部との間に形成される前記間隙から間接光が漏れ出るようになっている。筒状遮光部に対して相対的にキャップ状遮光部が下側に位置するようにして、本発明の常夜灯を室内における上部に設置すると、前記間接光は主に室内の上方を照らすので、室内の下方には、前記間接光が天井等で反射して、さらにソフトな間接光で照らされることになる。このような間接光による柔らかな薄明かりで室内を照明することができ、寝ている人の安眠を妨げることがない。特に、寝たきりのお年寄りや幼児の睡眠時、病気等により睡眠の浅い時、又は精神的に不安定な時等に好適な照明が得られる。
【０００８】
前記常夜灯においては、
前記ベース部は、既存の電球と互換性を有する口金を備え、
前記口金を介して供給される電力により前記光源を駆動するように構成された態様を例示する。
【０００９】
この構成によれば、既存の電球を取り付けるソケットに装着して使用することができる。即ち、既存の電球を本発明の常夜灯に交換するだけで、前記本発明の効果を得ることができる。
【発明の効果】
【００１０】
本発明に係る常夜灯によれば、間接光による柔らかな薄明かりで室内を照明することができ、寝ている人の安眠を妨げることがないという優れた効果を奏する。
【発明を実施するための最良の形態】
【００１１】
図１〜図３は本発明を具体化した第一実施形態の常夜灯１を示している。図１は、本発明の常夜灯１を取り付けた室内照明器具２０を示している。本例の室内照明器具２０は、器具本体２１と、該器具本体２１の周縁部に配設されたランプホルダ２２と、該ランプホルダ２２に支持された上下一対の丸形蛍光灯２３と、器具本体２１に取り付けられたカバー２４と、器具本体２１に電力を供給する電源コード２５と、器具本体２１の下面における略中央に設けられた、照明の入切操作用の吊紐２６とを備えている。器具本体２１には、常夜灯ソケット２７が下向きに設けられており、該常夜灯ソケット２７に常夜灯１が下向きに取り付けられるようになっている。
【００１２】
常夜灯１は、図２及び図３に示すように、光源２が取り付けられたベース部３と、一端側が光源２を囲むようにベース部３に取り付けられるとともに、他端側が光源２からの光を放出するように開口した筒状遮光部４と、該筒状遮光部４の他端側が間隙５をおいて挿入可能に開口したキャップ状遮光部６と、光源２からの光を間隙５から放出可能に、筒状遮光部４の他端側がキャップ状遮光部６の開口内に配設された状態で、該キャップ状遮光部６を筒状遮光部４に接続する接続部７とを備えている。ベース部３は、既存の電球と互換性を有する口金８と、該口金８を介して供給される電力により光源２を駆動する駆動回路９とを備えている。
【００１３】
本例では、光源２として、ＬＥＤ（例えば３．４Ｖ２０Ａの白色ＬＥＤ。個数や色は適宜変更可能。）を採用しており、駆動回路９は、口金８を介して供給される交流電力（電圧１００Ｖ）によりＬＥＤを駆動するように構成されている。また、筒状遮光部４は略円筒状に形成され、キャップ状遮光部６は略半球形の殻状に形成されている。筒状遮光部４及びキャップ状遮光部はいずれも光非透過性を有するように形成されている。また、接続部７は、光透過性を有するとともに、筒状遮光部４と同じ外径を有する略円筒状に形成されており、筒状遮光部４の他端側開口とキャップ状遮光部６の内面とを接続している。筒状遮光部４、キャップ状遮光部６、及び接続部７としては、特に限定されないが、プラスチック等の樹脂からなるものを例示する。
【００１４】
以上のように構成された本例の常夜灯１によれば、外部には、筒状遮光部４と、キャップ状遮光部６とにより光源２からの直接光が遮られ、主に、筒状遮光部４と、キャップ状遮光部６との間に形成される間隙５から間接光が漏れ出るようになっている。図１に示すように筒状遮光部４に対して相対的にキャップ状遮光部６が下側に位置するようにして、本発明の常夜灯１を室内における上部に設置すると、前記間接光は主に室内の上方を照らすので、室内の下方には、前記間接光が天井等で反射して、さらにソフトな間接光で照らされることになる。このような間接光による柔らかな薄明かりで室内を照明することができ、寝ている人の安眠を妨げることがない。特に、寝たきりのお年寄りや幼児の睡眠時、病気等により睡眠の浅い時、精神的に不安定な時等に好適な照明が得られる。
【００１５】
また、ベース部３は、既存の電球と互換性を有する口金８を備え、口金８を介して供給される電力により光源２を駆動するように構成されているので、既存の電球を取り付けるソケット２７に装着して使用することができる。即ち、既存の電球を本発明の常夜灯１に交換するだけで、前記本発明の効果を得ることができる。
【００１６】
次に、図４は本発明を具体化した第二実施形態の常夜灯３０を示している。この常夜灯３０は、接続部３１が、筒状遮光部４とキャップ状遮光部６との間を充填するように配設された光透過性を有する部材（例えば透明な樹脂製の部材）からなっている点において、主に第一実施形態と相違している。従って、同実施形態と共通する部分については、同一符号を付することにより重複説明を省く（以下の他の実施形態についても同様。）。本例の常夜灯３０によっても、第一実施形態と同様の効果を得ることができる。
【００１７】
次に、図５は本発明を具体化した第三実施形態の常夜灯４０を示している。この常夜灯４０は、接続部４１が、光透過性を有するとともに、キャップ状遮光部６の周縁部と筒状遮光部４の外周面とを接続している点において、主に第一実施形態と相違している。本例の常夜灯４０によっても、第一実施形態と同様の効果を得ることができる。
【００１８】
次に、図６は本発明を具体化した第四実施形態の常夜灯５０を示している。この常夜灯５０は、接続部５１における筒状遮光部４側開口の内周面に雌ネジ部５１ａを設けるとともに、該雌ネジ部５１ａに螺合する雄ネジ部４ａを筒状遮光部４の外周面に設けることにより、接続部７と筒状遮光部４とを螺着している点において、主に第三実施形態と相違している。本例の常夜灯５０によれば、第三実施形態と同様の効果に加え、接続部５１の雌ネジ部５１ａと、筒状遮光部４の雄ネジ部４ａとの螺合位置を調節することによりキャップ状遮光部６に対する筒状遮光部４の挿入深さを調節することができる。これにより、常夜灯５０から放出される光の量を適宜調節することができる。
【００１９】
なお、本発明は前記実施形態に限定されるものではなく、例えば以下のように、発明の趣旨から逸脱しない範囲で適宜変更して具体化することもできる。
（１）筒状遮光部４、キャップ状遮光部６、接続部７等の形状やサイズを適宜変更すること。
（２）光源２を熱電球に変更するとともに、筒状遮光部４、キャップ状遮光部６、接続部７等を耐熱性を有する材料で形成すること。
（３）接続部７が、キャップ状遮光部６をベース部３に接続するように構成すること。
【図面の簡単な説明】
【００２０】
【図１】本発明を具体化した第一実施形態に係る常夜灯を取り付けた室内照明器具の一部を破断した側面図である。
【図２】同常夜灯の斜視図である。
【図３】同常夜灯の側断面図である。
【図４】本発明を具体化した第二実施形態に係る常夜灯の側断面図である。
【図５】本発明を具体化した第三実施形態に係る常夜灯の側断面図である。
【図６】本発明を具体化した第四実施形態に係る常夜灯の側断面図である。
【図７】本発明の背景技術としての蛍光灯の常夜灯カバーの使用状態を示す側断面図である。
【符号の説明】
【００２１】
１  常夜灯
２  光源
３  ベース部
４  筒状遮光部
５  間隙
６  キャップ状遮光部
７  接続部
８  口金
３０  常夜灯
３１  接続部
４０  常夜灯
４１  接続部
５０  常夜灯
５１  接続部
【図１】
2006179376.tif 000003
【図２】
2006179376.tif 000004
【図３】
2006179376.tif 000005
【図４】
2006179376.tif 000006
【図５】
2006179376.tif 000007
【図６】
2006179376.tif 000008
【図７】
2006179376.tif 000009